(57)【要約】      （修正有）【課題】配達業を行いながら広告効果を発揮可能とし、収納部を設けることにより配達員が快適に配達を行うことができる二輪車バイク宅配ボックスを提供する。【解決手段】内部空間を収納部２５とする箱体１０と箱体を構成する周壁のうち、配達員の背中に対面する前壁部２０と、前壁部と反対側の後壁部に取り付けられてなる広告枠体２７とフィルム２８によって覆われてなる広告表示媒体と、周壁の一側面に取手を有する取り出し扉１２が設置されてなる取り出し口１１とを備え、箱体と広告表示媒体を一体化することで配達業と同時に広告業を行える二輪車バイク用宅配ボックス１を提供する。収納部には、仕切り２４が設けられ、前後に区画可能とし前空間部１４と後空間部１５が形成されてなることにより、収納管理が行いやすくなり、より快適に広告を行いながら配達をすることができる。【選択図】図２
0003233441.tif 000002
【実用新案登録請求の範囲】
【請求項１】
内部空間を収納部とする箱体と、
前記箱体を構成する周壁のうち、配達員の背中に対面する前壁部と、
前記前壁部と反対側の後壁部に取り付けられてなる広告表示媒体と、
前記周壁の一側面に形成されてなる取り出し口と、
を備えることを特徴とする二輪車バイク用宅配ボックス。
【請求項２】
前記取り出し口には、取手を有する取り出し扉が設置されてなる
ことを特徴とする請求項１に記載の二輪車バイク用宅配ボックス。
【請求項３】
前記取り出し口は、
前記前壁部以外の周壁の外面に配置され、前記周壁の上半面部分に取り付けられてなる
ことを特徴とする請求項１または請求項２に記載の二輪車バイク用宅配ボックス。
【請求項４】
前記収納部には、仕切りが設けられ、前後に区画可能とし前空間部と後空間部が形成されてなる
ことを特徴とする請求項１から３のいずれか１つに記載の二輪車バイク用宅配ボックス。
【請求項５】
前記広告表示媒体は、
前記箱体の周壁の外面に取り付けてなる広告枠体と、
前記広告枠体に嵌め入れ可能に装着されてなる透光性を有する素材により構成されてなるフィルムと、
によって覆われてなる
ことを特徴とする請求項１から４のいずれか１つに記載の二輪車バイク用宅配ボックス。
【請求項６】
前記広告表示媒体は、前記前壁部以外の周壁の外面に取り付けられてなる
ことを特徴とする請求項１から５のいずれか１つに記載の二輪車バイク用宅配ボックス。
【請求項７】
前記箱体の上面には、前記箱体の周辺空間を撮影可能な映像装置が設置されてなる
ことを特徴とする請求項１から６のいずれか１つに記載の二輪車バイク用宅配ボックス。
【考案の詳細な説明】
【技術分野】
【０００１】
本考案は、新聞を運搬する二輪車バイク用宅配ボックスに関するものである。
【背景技術】
【０００２】
近年、設置場所が固定されずに移動して広告を多くの人の目に触れさせることができるような広告方法が取り入れられている。一般に新聞配達業は毎日朝晩同じ時間帯に同じルートを辿って行われる。また、宅配、集金、営業、ポスティング等、地域を一日中縦横無尽に巡回することにより、地域との関連性がある。これらに鑑み、二輪車等を用いて荷物を運搬中にも広告を表示するものとして例えば、下記の特許文献１に開示されたようなボックスがある。
【先行技術文献】
【特許文献】
【０００３】
【特許文献１】特開２０１２―４８０９１号公報
【考案の概要】
【考案が解決しようとする課題】
【０００４】
しかし、特許文献１は荷物の運搬中に広告を表示することができるものの広告を表示する広告シートがローラーに取り付けられるのみであることから、悪天候時には、広告が汚れやすくなり広告を入れた広告シートを交換する手間がかかるという問題がある。さらに、ボックスに収納スペースはなく、配達業に必要な配達物、上着や小物を収納することはできず、配達業を行うためには別途収納かごなどが必要であった。
【課題を解決するための手段】
【０００５】
そこで、上記課題を解決するための手段として本考案に係る二輪車バイク用宅配ボックスは、内部空間を収納部とする箱体と、前記箱体を構成する周壁のうち、配達員の背中に対面する前壁部と、前記前壁部と反対側の後壁部に取り付けられてなる広告表示媒体と、前記周壁の一側面に形成されてなる取り出し口と、を備えることを特徴とする。
【０００６】
前記取り出し口には、取手を有する取り出し扉が設置されてなることが好ましい。前記箱体と前記広告表示媒体と前記取り出し口を設けることにより、新聞を前記箱体に載置し前記広告表示媒体が周壁に取り付けられる。そのため、新聞配達業と広告業を同時に行うことができ、前記取り出し口には前記取り出し扉が設けられることで新聞の落下を防止し、新聞配達ができる。
【０００７】
前記取り出し口は、  前記前壁部以外の周壁の外面に配置され、前記周壁の上半面部分に取り付けられてなることが好ましい。この形態によると、取り出し口が周壁の下半面に設けられた場合には積み重なられた新聞を底から引っ張らなければならないが、周壁の上半面部分に取り出し口が構成されていれば、上から順番に新聞を取ることができ新聞の取り出しが容易になる。
【０００８】
さらに、前記取り出し口を前記周壁の全面に設けることとしてもよいが、上半面部分に取り付けることにより、より多くの前記広告表示媒体を表示することができる。
【０００９】
前記収納部には、仕切りが設けられ、前後に区画可能とし前空間部と後空間部が形成されてなることが好ましい。前記仕切りが設けられることにより、新聞を収納するスペースのほか、配達員に必要なものを収納可能なスペースが設けられる。これにより、快適に新聞配達を行うことができる。
【００１０】
前記広告表示媒体は、前記箱体の周壁の外面に取り付けてなる広告枠体と、前記広告枠体に嵌め入れ可能に装着されてなる透光性を有する素材により構成されてなるフィルムと、によって覆われてなることが好ましい。前記広告表示媒体は、前記フィルムにより覆われることで確実に前記広告表示媒体を保護することができる。
【００１１】
前記広告表示媒体は、前記前壁部以外の周壁の外面に取り付けられてなることが好ましい。この形態によると、二輪車を運転する配達員に広告表示媒体の表示が阻害されることなく広告効果を発揮することができる。
【００１２】
前記箱体の上面には、前記箱体の周辺空間を撮影可能な映像装置が設置されてなることとしても好ましい。
【考案の効果】
【００１３】
本考案に係る二輪車バイク用宅配ボックスの開示によれば、新聞配達業を行いながら広告業を行うことができる。
【００１４】
さらに、配達する新聞や内容物の落下を防止することができる。
【００１５】
また、広告表示媒体を箱体の六つの周壁のうち複数面で表示することが可能である。
【００１６】
さらにまた、箱体の収納部には配達物以外のものを収納することができ配達員が快適に配達業を行うことが可能となる。
【００１７】
さらには、広告表示媒体は箱体の周壁の外面に取り付けてなる広告枠体と広告枠体に嵌め入れ可能に装着されてなる透光性を有する素材により構成されてなるフィルムとによって覆われていることにより、広告表示媒体が露出することがない。そのため、悪天候時の配達であっても、広告表示媒体が雨に濡れて汚れることを防止できる。
【００１８】
また、広告したい広告を容易に変更することができる。
【００１９】
さらに、箱体の周辺空間を撮影可能な映像装置が設置されることで、地域毎の特徴や地域毎の広告効果の分析が可能となる。
【図面の簡単な説明】
【００２０】
【図１】二輪車バイク用宅配ボックスを正面から見た図面
【図２】二輪車バイク用宅配ボックスの内部を示した図面
【図３】二輪車バイク用宅配ボックスの広告枠体とフィルムを表示した状態の例を示す図面
【図４】二輪車バイク用宅配ボックスの取り出し口を開けた状態の図面
【図５】二輪車バイク用宅配ボックスを示した斜視図
【図６】二輪車バイク用宅配ボックスの使用状態の例を示す図面
【図７】二輪車バイク用宅配ボックスの他の実施形態を示す図面
【考案を実施するための形態】
【００２１】
以下、本考案に係る実施の形態を、図を参照しながら詳しく説明する。なお、本明細書及び図面において、実質的に同一の機能構成を有する構成要素については、同一の符号を付することにより重複説明を省略する。
【００２２】
図１は、本考案にかかる二輪車バイク用宅配ボックスを正面から見た図面である。
【００２３】
図１に示す二輪車バイク用宅配ボックス１は、内部空間を収納部２５とする箱体１０と箱体１０を構成する周壁のうち、配達員の背中に対面する前壁部２０と、前壁部２０と反対側の後壁部２１に取り付けられてなる広告枠体２７とフィルム２８によって覆われてなる広告表示媒体２６と、周壁の一側面に取手１３を有する取り出し扉１２が設置されてなる取り出し口１１とを備える。図２に示すように、取り出し口１１は、前壁部２０以外の面に配置され、本実施形態において右側壁部２３上半面部分に取り付けられてなる。収納部２５には、仕切り２４が設けられ、本実施形態には、前後に区画可能とし前空間部１４と後空間部１５が形成されてなる。前後に区画する位置は限定されず本実施形態のように１：１の比率でなくてもよい。広告表示媒体２６は、前壁部２０以外の周壁の外面に取り付けられてなり本実施形態では左側壁部２２の外面と後壁部２１の外面と右側壁部２３の外面に取り付けられてなる。箱体１０の上面には、箱体１０の周辺空間を撮影可能な映像装置３０が設置されてなる。
なお、本考案を取り付ける乗物は、電動であってもガソリンエンジンを搭載していてもよく三輪車であってもよい。
【００２４】
図に示すように、取り出し口１１に設けられた取り出し扉１２は、取り出し口１１の一辺に、例えばヒンジを介して開閉可能に取り付けられてなる。取り出し口１１に取り出し扉１２を設けることで、収納物が取り出し口１１から落下することなく配達業を行える。図５に示すように、取り出し口１１は、前壁部２０以外の周壁の外面の上半面部分に配置されるため、下半面部分に空きができる。そのため、取り出し口１１が設けられた面と同じ面の下半面部分にも広告表示媒体２６を取り付けることができる。
【００２５】
図２に示すように、収納部２５には仕切り２４が設けられてなることが好ましい。仕切り２４より収納部２５の範囲が区画され収納管理が行いやすくなる。
【００２６】
図１の二点鎖線で囲まれた拡大部分に示すように、広告表示媒体２６を取り付けるにあたって本実施形態によると、広告枠体２７には厚み方向に隙間が設けられている。当該隙間に、広告表示媒体２６と、当該広告表示媒体２６の上に重ねて透明なフィルム２８とを、嵌め入れることで広告表示媒体２６を広告枠体２７に装着することができる。これにより広告表示媒体２６の外表面は外から視認可能にフィルム２８に覆われる。よって、広告表示媒体２６を直接外気に露出することなく雨などで汚れることを防止できる。また、フィルム２８は広告枠体２７に嵌め込むだけで固定可能であることから広告表示媒体２６の付け外しが容易にできる。
【００２７】
フィルム２８は、広告を外部から認識できることができる素材であればよいが好ましくは透光性を有する素材で構成されるのがよい。透光性を有することで光が通り、広告が認識されやすく通行人の目に留まる。
【００２８】
図２に示すように、箱体１０の前壁部２０の上半部は上方に傾斜してなる前方傾斜面１７に形成されていてもよい。前方傾斜面１７が設けられることで左右側壁部２２，２３の表面に切り欠けが形成され、風圧抵抗を最小限に抑えることができる。なお、図１に表される水平線は前方傾斜面１７と垂直面１８との境界線１６である。
【００２９】
広告表示媒体２６は、図３に示すように前壁部２０以外の周壁の外面に取り付けられている。前壁部２０に広告表示媒体２６を設けてもよいが、前壁部２０は配達中には配達員の背中と対面するため、前壁部２０に広告表示媒体２６を設けても広告効果が阻害されてしまう。そのため、配達中においても広告効果を発揮させるために前壁部２０以外の周壁の外面に広告表示媒体２６を設けることとする。
【００３０】
図６に示すように、二輪車バイク用宅配ボックス１に取り付けられた映像装置３０は箱体１０の上面に取り付けられており設置方向や設置する映像装置３０の数は限定しない。当該映像装置３０により、配達中の風景を録画することで広告表示媒体２６を見る人々の様子、または、人々の視線から広告効果の分析を行うことができる。さらにはドライブレコーダーとしての機能により安全性の確保も可能とする。
【００３１】
また、二輪車バイク用宅配ボックス１は、図７に示すように、箱体の各頂点が丸みを帯びた形状であってもよい。二輪車バイク用宅配ボックス１は乗り物４０のドライバーよりも左右幅が大きくなることから、運転中に二輪車バイク用宅配ボックス１の前壁部２０が風による抵抗を受けやすい。各頂点が丸みを帯びることで箱体を回り込む風の影響を抑え、運転時において風圧抵抗を低減することができる。なお、図７の前壁部２０の上端より少し下に表される水平線は、前方傾斜面１７と垂直面１８との境界線１６である。
【００３２】
さらに、図７に示すように、二輪車バイク用宅配ボックス１の左側壁部２２の外面と右側壁部２３の外面は傾斜面に形成されていてもよい。この傾斜面は、下から上に向かうにしたがって左右中心に向かって接近するように傾斜される。前壁部２０の方向から見た際には上方に向かって徐々に幅細に形成されてなる。これにより視界を遮る面積が減り、ドライバーの後方確認がスムーズに行える。
【００３３】
次に、二輪車バイク用宅配ボックス１の使用方法を説明する。先ず初めに、二輪車バイク用宅配ボックス１を乗り物４０の荷台に取り付ける。取り出し扉１２を開けて、取り出し口１１から配達物や必要なものを収納する。そして取り出し扉１２を閉める。次に、広告枠体２７からフィルム２８を取り出し、表示したい広告表示媒体２６を広告枠体２７の隙間に挟み込みその上からフィルム２８を覆いかぶせ、広告枠体２７に装着する。このように収納部２５に収納物を収納し、広告したい広告表示媒体２６を表示したのち映像装置３０の電源を入れ配達を行う。配達物を配達しようとする地点で、取り出し扉１２を開けて上から順に配達物を取り出すことができる。そして、配達が終了したら収納部２５に収納したものを取り出し口１１から取り出すことができる。フィルム２８を広告枠体２７の隙間から取り出した後に広告表示媒体２６を入れ替えることができる。広告表示媒体２６の取り付けは、フィルム２８を付け外す工程のみであり、時間や手間を省くことができる。
【符号の説明】
【００３４】
１  二輪車バイク用宅配ボックス
１０  箱体
１１  取り出し口
１２  取り出し扉
１３  取手
１４  前空間部
１５  後空間部
１６  境界線
１７  前方傾斜面
１８  垂直面
２０  前壁部
２１  後壁部
２２  左側壁部
２３  右側壁部
２４  仕切り
２５  収納部
２６  広告表示媒体
２７  広告枠体
２８  フィルム
３０  映像装置
４０  乗り物
【図１】
0003233441.tif 000003
【図２】
0003233441.tif 000004
【図３】
0003233441.tif 000005
【図４】
0003233441.tif 000006
【図５】
0003233441.tif 000007
【図６】
0003233441.tif 000008
【図７】
0003233441.tif 000009